(57)【要約】【課題】  回路規模の増大を抑制し、輝度を向上することが可能な表示装置を提供する。【解決手段】  本発明の一態様にかかる液晶表示装置１００は、カラー表示用走査線１０７と、カラー表示用走査線１０７と平行に配設されている輝度調整用走査線１０８と、カラー表示用走査線１０７及び輝度調整用走査線１０８と交差する信号線１０９とを有し、カラー表示用走査線１０７と信号線１０９の交差部及び輝度調整用走査線１９４と信号線１０９との交差部に対応して設けられた単位画素１１７を有する液晶表示装置であって、単位画素１１７に、着色層が設けられカラー表示用走査線１０７に対応する着色領域１１８と、輝度調整用走査線１０８に対応する高透過領域１１９とが設けられ、輝度調整用走査線１０８にカラー表示用走査線１０７に供給される走査信号を供給するか否かを制御する輝度調整用スイッチ１１５が設けられているものである。【選択図】図１
2006267826.tif 000002
【特許請求の範囲】
【請求項１】
第１の配線と、
前記第１の配線と平行に配設されている補助配線と、
前記第１の配線及び前記補助配線と交差する第２の配線とを有し、
前記第１の配線と前記第２の配線の交差部及び前記第２の配線と前記補助配線との交差部に対応して設けられた単位画素を有する表示装置であって、
前記単位画素に、着色層が設けられ前記第１の配線に対応する着色領域と、前記補助配線に対応する高透過領域とが設けられ、
前記補助配線に前記第１の配線に供給される信号を供給するか否かを制御するスイッチが設けられている表示装置。
【請求項２】
前記第１の配線と前記補助配線が前記単位画素に走査信号を供給する走査線である請求項１に記載の表示装置。
【請求項３】
前記第１の配線と前記補助配線が前記単位画素に表示信号を供給する信号線である請求項１に記載の表示装置。
【請求項４】
３つの前記単位画素によって１画素が構成され、
前記着色領域は、前記３つの単位画素のそれぞれに対応して３原色の各色に着色されている請求項１、２又は３に記載の表示装置。
【請求項５】
前記１画素を構成する３つの単位画素の高透過領域はそれぞれ異なる面積を有する請求項４に記載の表示装置。
【請求項６】
前記１画素を構成する３つの単位画素の高透過領域はそれぞれ異なる透過率を有する請求項４に記載の表示装置。
【請求項７】
前記高透過領域は、無色透明の樹脂から形成されている請求項１〜５のいずれか１項に記載の表示装置。
【発明の詳細な説明】
【技術分野】
【０００１】
本発明は、表示装置に関し、特にカラーフィルタを有する表示装置に関する。
【背景技術】
【０００２】
現在、表示装置は、人と機械とをつなぐインターフェースとして広く使用され、目ざましい進展を果たしている。近年、携帯情報端末などの多くの電子機器に、液晶表示装置や有機ＥＬ表示装置などの表示装置が組み込まれるようになった。
【０００３】
通常、このような表示装置において、カラー表示をするために、カラーフィルタが使用される。一般的に、表示装置の１ドットに相当する１画素を３分割した単位画素に、Ｒ（赤）、Ｇ（緑）、Ｂ（青）のカラーフィルタをそれぞれ備えた表示装置が知られている。各単位画素からそれぞれ独立した強度の光が出射されることで、カラーフィルタの各部を通る光の加法混色により様々な色のカラー表示を行っている。
【０００４】
しかしながら、Ｒ、Ｇ、Ｂのカラーフィルタはそれぞれ一定の透過率しか有さず、入射光の一部がカラーフィルタの各部で吸収されてしまっていた。したがって、Ｒ、Ｇ、Ｂの合色で白色表示を実現しても、十分な輝度を得ることができないという問題があった。
【０００５】
このような問題を解決するために、従来から、１画素を４分割した単位画素のそれぞれにＲ、Ｇ、ＢのカラーフィルタのほかにＷ（白）のカラーフィルタを設けることによって、輝度を向上させる技術が提案されている（例えば、非特許文献１参照）。
【非特許文献１】低消費電力型白色有機ＥＬディスプレイ"QT White OLED"、［online］、２００４年１０月２０日、三洋電機株式会社  半導体カンパニー、［平成１７年３月１６日検索］、インターネット〈URL：http://www.semic.sanyo.co.jp/jpn/news/event/2004/10_fpd/pdf/qt_white_oled.pdf〉
【発明の開示】
【発明が解決しようとする課題】
【０００６】
ところで、従来のＲ、Ｇ、Ｂのカラーフィルタを備えた表示装置において画像表示を行う際には、Ｒ、Ｇ、Ｂの３つの単位画素を駆動するために、駆動回路からＲ、Ｇ、Ｂそれぞれの表示信号が入力される。しかしながら、上述のＲ、Ｇ、Ｂ、Ｗのカラーフィルタを備えた表示装置においては、Ｒ、Ｇ、Ｂ、Ｗの４つの単位画素を駆動するため、従来のＲＧＢ用の駆動回路を使用することはできない。したがって、Ｗの単位画素を駆動するための表示信号を別に入力する必要があり、駆動回路にＷの表示信号を生成する回路を別に設けていた。このため、回路規模が大きくなるという問題があった。
【０００７】
本発明は上記のような事情を背景としてなされたものであって、本発明の目的は、回路規模の増大を抑制し、輝度を向上することが可能な表示装置を提供することである。
【課題を解決するための手段】
【０００８】
本発明の第１の態様にかかる表示装置は、第１の配線と、前記第１の配線と平行に配設されている補助配線と、前記第１の配線及び前記補助配線と交差する第２の配線とを有し、前記第１の配線と前記第２の配線の交差部及び前記第２の配線と前記第補助配線との交差部に対応して設けられた単位画素を有する表示装置であって、前記単位画素に、着色層が設けられ前記第１の配線に対応する着色領域と、前記補助配線に対応する高透過領域とが設けられ、前記補助配線に前記第１の配線に供給される信号を供給するか否かを制御するスイッチが設けられているものである。このような構成を有することによって、簡単な回路構成で、輝度を向上させることができる。
【０００９】
本発明の第２の態様にかかる表示装置は、上記の表示装置において、前記第１の配線と前記補助配線が前記単位画素に走査信号を供給する走査線であるものである。このような構成を有することによって、回路規模の増大を抑制できる。
【００１０】
本発明の第３の態様にかかる表示装置は、上記の表示装置において、前記第１の配線と前記補助配線が前記単位画素に表示信号を供給する信号線であるものである。このような構成を有することによって、回路規模の増大を抑制することができる。
【００１１】
本発明の第４の態様にかかる表示装置は、上記の表示装置において、３つの前記単位画素によって１画素が構成され、前記着色領域は、前記３つの単位画素のそれぞれに対応して３原色の各色に着色されているものである。このような構成を有することによって、輝度の向上と色再現性とを両立することができる。
【００１２】
本発明の第５の態様にかかる表示装置は、上記の表示装置において、前記１画素を構成する３つの単位画素の高透過領域はそれぞれ異なる面積を有するものである。このような構成を有することによって、色再現性を向上させることが可能である。
【００１３】
本発明の第６の態様にかかる表示装置は、上記の表示装置において、前記１画素を構成する３つの単位画素の高透過領域はそれぞれ異なる透過率を有するものである。このような構成を有することによって、色再現性を向上させることが可能である。
【００１４】
本発明の第７の態様にかかる表示装置は、上記の表示装置において、前記高透過領域は、無色透明の樹脂から形成されるものである。このような構成を有することによって、表示性能を向上させることが可能である。
【発明の効果】
【００１５】
本発明によれば、回路規模の増大を抑制し、輝度を向上することが可能な表示装置を提供することができる。
【発明を実施するための最良の形態】
【００１６】
以下に、本発明の実施の形態を図を参照して説明する。以下の説明は、本発明の実施の形態を説明するものであり、本発明が以下の実施の形態に限定されるものではない。説明の明確化のため、以下の記載及び図面は、適宜、省略及び簡略化がなされている。又、当業者であれば、以下の実施の形態の各要素を、本発明の範囲において容易に変更、追加、変換することが可能である。なお、各図面において、同一要素には同一の符号が付されており、説明の明確化のため、必要に応じて重複説明は省略されている。
【００１７】
実施の形態．
本発明の実施の形態について、図１〜図３を参照して説明する。図１は、本発明の実施の形態にかかる表示装置の一例である液晶表示装置１００の構成を示す概略模式図である。図２は、図１のＡ−Ａ断面図である。図３は、カラーフィルタの１つの画素の構成を示す図である。本実施の形態においては、ＳＴＮ（Super Twisted Nematic）型のパッシブマトリクス方式の液晶パネル１０１を用いた例について説明する。また、ここでは、電圧を印加しない時に黒表示となるノーマリーブラックの液晶パネル１０１を用いており、液晶パネル１０１には白色光が照射されているものとする。図１に示すように、液晶表示装置１００は、液晶パネル１０１、駆動回路１０２を備えている。液晶パネル１０１は、第１の基板１０３、第２の基板１０４、シール材１０５、液晶１０６、カラー表示用走査線１０７、輝度調整用走査線１０８、信号線１０９、カラーフィルタ１１０、配向膜１１１、スペーサ１１２などを備えている。駆動回路１０２は、コモン駆動回路１１３、カラー表示用スイッチ１１４、輝度調整用スイッチ１１５、モード切り替え回路１１６を備えている。
【００１８】
液晶パネル１０１は、入力される表示信号に基づいて画像表示を行う。第１の基板１０３と第２の基板１０４を接着するシール材１０５との間の空間に液晶１０６を封入した構成を有している。第１の基板１０３及び第２の基板１０４は、例えば、光透過性のあるガラス、ポリカーボネート、アクリル樹脂などにより矩形状に形成されている。
【００１９】
第１の基板１０３には、カラー表示用走査線１０７及び輝度調整用走査線１０８が設けられている。カラー表示用走査線１０７と輝度調整用走査線１０８とは交互に、水平方向に一定間隔を隔てて平行に並設される。一方、他方の基板の内面には、信号線１０９及びカラーフィルタ１１０が積層されて設けられている。信号線１０９は、走査線に直交する垂直方向に一定間隔を隔てて、互いに平行に配設される。カラー表示用走査線１０７、輝度調整用走査線１０８及び信号線１０９は、例えば、ＩＴＯ（Indium Tin Oxide）などの透明導電性薄膜から形成されている。カラーフィルタ１１０のピッチと信号線１０９のピッチとは、略一致している。
【００２０】
カラー表示用走査線１０７と信号線１０９との交差部及び輝度調整用走査線１０８と信号線１０９との交差部が単位画素１１７に対応する。すなわち、１つの単位画素１１７中にカラー表示を行う部分と、輝度を調整する部分とを含んでいる。カラーフィルタ１１０のカラー表示用走査線１０７と信号線１０９との交差部に対応する位置には、Ｒ（赤）、Ｇ（緑）、Ｂ（青）のいずれかに着色された樹脂からなる着色領域１１８が配置される。一方、カラーフィルタ１１０の輝度調整用走査線１０８と信号線１０９との交差部に対応する位置には、無色透明の樹脂からなる高透過領域１１９が配置される。したがって、カラーフィルタ１１０の１つの単位画素１１７中には、Ｒ（赤）、Ｇ（緑）、Ｂ（青）いずれかに着色された着色領域１１８と、無色透明の高透過領域１１９の両方が設けられる。
【００２１】
ここで、図３を用いて１つの画素の構成について説明する。１つの画素１２０は、３つの単位画素１１７から構成される。図３に示すように、単位画素１１７は、Ｒの着色領域１１８Ｒと高透過領域１１９Ｒ、Ｇの着色領域１１８Ｇと高透過領域１１９Ｇ、又はＢの着色領域１１８Ｂと高透過領域１１９Ｂの３つのうちのいずれかから構成される。すなわち、単位画素１１０はＲ、Ｇ、Ｂいずれか１つの着色領域１１８と１つの高透過領域１１９とから構成される。１つの画素１２０は、Ｒ、Ｇ、Ｂの着色領域１１８を有する３つの隣接する単位画素１１７から構成される。なお、着色領域１１８の各色の間には、図２に示すように、ＢＭ（Black Matrix：ブラックマトリックス）１２１が設けられるが、図３では図示を省略している。ＢＭ１２１は、各色の着色領域１１８及び高透過領域１１９の間からの光の漏れを防止し、コントラストを向上させる役割を果たす。
【００２２】
また、図２に示すように、着色領域１１８、高透過領域１１９及びＢＭ１２１の上には、略全面にわたってオーバーコート層１２２が形成される。ＳＴＮ型液晶表示装置は、ＴＮ型と比較して、ねじれ角が大きく、セル内の平坦性が要求される。このため、オーバーコート層１２２は着色領域１１８、高透過領域１１９及びＢＭ１２１の凹凸をなくすために設けられる。オーバーコート層１２２の材料としては、アクリルなどの有機物が用いられる。
【００２３】
高透過領域１１９には、着色領域１１８の他の色（Ｒ、Ｇ、Ｂ）に着色された樹脂と同じ厚さで透明樹脂を配置することが好ましい。無色透明の樹脂を配置することによって、表面を平坦化することができる。また、高透過領域１１９に、透明樹脂を設けない構造としてもよい。この場合、カラーフィルタ１１０が平坦となるように、高透過領域１１９に、上述したオーバーコート層１２２を着色領域１１８の他の色（Ｒ、Ｇ、Ｂ）に着色された樹脂と同じ厚さとなるように形成することが好ましい。また、高透過領域１１９に着色領域１１８よりも高い透過率を有する着色樹脂を配置してもよい。このとき、同一単位画素において、同色の着色樹脂とすることが好ましい。
【００２４】
また、第１の基板１０３及び第２の基板１０４の対向する面にはそれぞれ所定の方向に配向された配向膜１１１が設けられている。両基板１０３、１０４の間は、スペーサ１１２によって、所定の間隔になるように維持されている。これら両基板１０３、１０４は、枠状のシール材１０５により周辺を接着され、両基板１０３、１０４とシール材１０５とで形成される空間に液晶１０６が封入される。これら両基板に挟持された液晶１０６は、配向膜１１１によって所定の方向に配向する。それぞれの基板の外側表面には、偏光板１２３が貼着される。例えば、反視認側、視認側の偏光板１２３は、それぞれの透過軸が垂直となるように配置される。
【００２５】
図１に示す駆動回路１０２は、電気的に液晶パネル１０１に接続され、外部から入力される画像データに基づいて、画像の表示に必要な各種の制御信号、走査信号及び表示信号などを出力するものである。本実施の形態においては、駆動回路１０２内に信号線１０９に表示信号を供給するセグメント駆動回路（不図示）及びカラー表示用走査線１０７と輝度調整用走査線１０８とに走査信号を供給するコモン駆動回路１１３などを１つのチップとして構成する構成としたが、これに限定されず、別々に構成することも可能である。
【００２６】
駆動回路１０２は、ＣＯＧ（Chip  On  Glass）技術を用いて、基板上に直接、実装される。なお、ＣＯＧ技術に限られず、それ以外の技術を用いて、液晶パネル１０１と駆動回路１０２とが接続された構成としてもよい。例えば、ＴＡＢ（Tape  Automated  Bonding）技術を用いて、ＦＰＣ（Flexible  Printed  Circuit）の上にＩＣチップがボンディングされたＴＣＰ（Tape  Carrier  Package）を液晶パネル１０１に電気的に接続する構成としてもよい。また、ＩＣチップをハード基板にボンディングするＣＯＢ（Chip  On  Board）技術を用いてもよい。
【００２７】
カラー表示用走査線１０７及び輝度調整用走査線１０８は複数の画素１２０からなる表示領域の外側に基板上に形成された引き回し配線（不図示）によって、駆動回路１０２に接続されている。一方、信号線１０９は、表示領域の外側に形成された引き回し配線によって、駆動回路１０２に接続されている。
【００２８】
駆動回路１０２に設けられたカラー表示用スイッチ１１４は、画像表示のオン／オフを制御する。また、輝度調整用スイッチ１１５は、高輝度モードと、高色純度モードとを切り替える。高輝度モードは、輝度調整用走査線１０８に走査信号を供給し、表示輝度を向上させる。一方、高色純度モードは、輝度調整用走査線１０８に走査信号を供給せずに、Ｒ、Ｇ、Ｂに着色された着色領域１１８を用いて、高色純度の画像表示を行う。この２つのモードの切り替え方法については、後に詳述する。
【００２９】
モード切り替え回路１１６は、高輝度モードと高色純度モードとを切り替える切り替え信号を出力する。この切り替え信号に応じて、上述したカラー表示用スイッチ１１４及び輝度調整用スイッチ１１５はオンまたはオフのいずれかの状態となる。モードの切り替えは、利用者が切り換えてもよく、外部の明るさに応じて自動的に切り替わるようにしてもよい。
【００３０】
１つのコモン駆動回路１１３の出力端子には、カラー表示用スイッチ１１４を介してカラー表示用走査線１０７と、輝度調整用スイッチ１１５を介して輝度調整用走査線１０８とが接続される。すなわち、カラー表示用スイッチ１１４及び輝度調整用スイッチ１１５とが同時にオンとなっている場合、１つの単位画素１１７を構成するカラー表示用走査線１０７と輝度調整用走査線１０８とは接続されている。したがって、カラー表示用走査線１０７と輝度調整用走査線１０８には、同じ走査信号が供給される。カラー表示用スイッチ１１４及び輝度調整用スイッチ１１５は、モード切り替え回路１１６にそれぞれ電気的に接続されている。
【００３１】
液晶パネル１０１の背面には、バックライトユニット（不図示）が備えられている。バックライトユニットは、液晶パネル１０１の反視認側から当該液晶パネル１０１に対して白色光を照射する。バックライトユニットとしては、例えば、光源となる冷陰極管の他、導光板、輝度上昇フィルム、偏光分離膜（ＤＢＥＦ：３Ｍ社製）などの構成を備えた一般的な構成のものを用いる。また、バックライトユニットの光源として、３波長ＬＥＤ（Laser Emitting Diode）や白色有機ＥＬ（Electro Luminescence)などを用いることもできる。
【００３２】
ここで、上述した液晶表示装置１００の駆動について説明する。まず、高輝度モードについて説明する。上述したように、高輝度モードでは、輝度調整用走査線１０８に走査信号を供給し、輝度を向上させる。高輝度モードが選択されると、モード切り替え回路１１６から高輝度モードが選択されたことを指示する切り替え信号が送信される。この切り替え信号に応じて、カラー表示用スイッチ１１４と輝度調整用スイッチ１１５とが両方オンとなる。そして、コモン駆動回路１１３は、オンとなったカラー表示用スイッチ１１４と輝度調整用スイッチ１１５とをそれぞれ介して、１つの単位画素１１７を構成するカラー表示用走査線１０７及び輝度調整用走査線１０８に同じ走査信号を供給する。
【００３３】
このように、１つの単位画素１１７を構成するカラー表示用走査線１０７及び輝度調整用走査線１０８には、同じ走査信号が供給される。したがって、従来のＲ、Ｇ、Ｂのカラーフィルタを備えた表示装置において画像表示を行う際に用いられていた、Ｒ、Ｇ、Ｂの３つの単位画素を駆動するための従来のコモン駆動回路と同じものを用いることができる。
【００３４】
すなわち、輝度調整用走査線１０８と信号線との交差部に対応する高透過領域１１９を駆動する特別の信号を生成する必要がない。このため、コモン駆動回路１１３に高透過領域１１９用の表示信号を生成する回路を別に設ける必要がなく、回路規模の増大を抑制することができる。
【００３５】
一方、セグメント駆動回路（不図示）は、各信号線１０９に表示信号を供給する。各走査信号によって選択された１つの単位画素１１７を構成する１つのカラー表示用走査線１０７及び１つの輝度調整用走査線１０８と、信号線１０９との電位差に応じて、その間の液晶１０６の配列が変化する。反視認側の偏光板１２３を透過した直線偏光は、液晶によって偏光方向が制御され、視認側偏光板１２３を透過する光の透過率が制御される。これによって、バックライトユニットから入射される光の透過量が制御される。
【００３６】
液晶表示素子１０１の各画素１２０において、Ｒ、Ｇ、Ｂに着色された着色領域１１８では、透過する光量に応じた色の濃淡とＲＧＢいずれかの色表示によりさまざまな色合いの表示を行う。一方、それぞれの単位画素１１７の一部に設けられた高透過領域１１９は、着色された他の色の着色領域１１８と比較すると、光の吸収率が低い。したがって、入射した光を高透過率で透過させることができる。これにより、より高輝度な表示を行うことが可能である。
【００３７】
次に、高色純度モードについて説明する。上述したように、高色純度モードは、輝度調整用走査線１０８に走査信号を供給せずに、Ｒ、Ｇ、Ｂの着色領域１１８を用いて、色純度の高い画像表示を行う。高色純度モードが選択されると、モード切り替え回路１１６から高色純度モードが選択されたことを指示する切り替え信号が送信される。この切り替え信号に応じて、カラー表示用スイッチ１１４はオンとなり、一方輝度調整用スイッチ１１５はオフとなる。この場合、走査信号は、輝度調整用走査線１０８には供給されない。したがって、コモン駆動回路１１３はカラー表示用走査線１０７にのみ走査信号を供給する。
【００３８】
上述したようにセグメント駆動回路（不図示）は、各信号線に表示信号を供給する。各走査信号によって選択された１つのカラー表示用走査線１０７と信号線１０９との電位差に応じて、その間の液晶１０６の配列が変化する。液晶表示素子１０１の各画素１２０において、Ｒ、Ｇ、Ｂに着色された着色領域１１８では、透過する光量に応じた色の濃淡とＲＧＢいずれかの色表示によりさまざまな色合いの表示を行う。一方、輝度調整用走査線１０８には、走査信号が入力されない。このため、高透過領域１１９の液晶１０６に印加される電圧が低くなる。すなわち、高透過領域１１９の液晶１０６に印加される電圧が、高輝度モードに比べて走査信号分低くなる。このように、高色純度モードでは、画像表示にＲ、Ｇ、Ｂに着色された着色領域１１８しか用いないので、色純度の高い良好な表示を行うことができる。
【００３９】
したがって、例えば、写真を表示する場合には高輝度モードを選択し、明るい表示とすることができる。また、アイコンなどを表示する場合には高色純度モードを選択し、色純度の高い表示とすることができる。
【００４０】
Ｒの着色領域１１８Ｒを含む単位画素１１７における高透過領域１１９Ｒの透過率と、Ｇの着色領域１１８Ｇを含む単位画素１１７における高透過領域１１９Ｇの透過率と、Ｂの着色領域１１８Ｂを含む単位画素１１７における高透過領域１１９Ｂの透過率とが異なるようにしてもよい。すなわち、１画素を構成する３つの単位画素１１７の高透過領域１１９Ｒ、１１９Ｇ、１１９Ｂの透過率が異なるようにしてもよい。このとき、各高透過領域１１９Ｒ、１１９Ｇ、１１９Ｂの透明樹脂内に光散乱物質を混入し、光散乱物質の混入量を制御して、透過率を異ならせてもよい。また、各単位画素１１７の着色領域１１８に用いる着色樹脂の色と同色で、かつ、高透過率の樹脂を高透過領域１１９に配設して、透過率をそれぞれ異ならせてもよい。
【００４１】
また、Ｒの着色領域１１８Ｒを含む単位画素１１７における高透過領域１１９Ｒの面積と、Ｇの着色領域１１８Ｇを含む単位画素１１７における高透過領域１１９Ｇの面積と、Ｂの着色領域１１８Ｂを含む単位画素１１７における高透過領域１１９Ｂの面積とを異なるようにしてもよい。すなわち、単位画素１１７中の高透過領域１１９の占める面積が、Ｒ、Ｇ、Ｂの各色ごとに異なる構成とすることもできる。
【００４２】
ここでは、走査線をカラー表示用走査線１０７と輝度調整用走査線１０８とに２分割した場合について説明したが、これに限定されず、さらに複数に分割してもよい。また、信号線１０９を２分割することもできる。図４に、信号線１０９を２分割した場合の、カラーフィルタ１１０の１つの画素１２０を模式的に示す。図４に示すように、Ｒ、Ｇ、Ｂそれぞれの単位画素１１７中に、信号線１０９に沿って高透過領域１１９を設けるようにすることができる。
【００４３】
また、カラーフィルタの配列としてストライプ配列のカラーフィルタを用いた例を説明したが、デルタ配列やモザイク配列など他の配列のカラーフィルタにも適用することが可能である。図５は、デルタ配列のカラーフィルタに本発明を適用した場合の、配置の一例を示す図である。図５に示すように、Ｒ、Ｇ、Ｂそれぞれの単位画素１１７の一部に高透過領域１１９を設け、単位画素１１７の駆動に対応して高透過領域１１９が点灯するようにすることも可能である。
【００４４】
実施例．
単位画素１１７中の高透過領域１１９の占める面積を、Ｒ、Ｇ、Ｂの各色ごとに異なる構成とした場合において、高輝度モードでの、白色表示の輝度、色度及びＧａｍｕｔの評価を行った。図６は、輝度、色度及びＧａｍｕｔの評価結果を示す図である。高透過領域１１９には、透明樹脂を配置しない構成とした。
【００４５】
図６（ａ）は、ＢＭ１２１を除いた単位画素１１７中に占める着色領域１１８の割合が１００％であり、高透過領域１１９の割合が０％であるカラーフィルタ１１０を配置した場合の結果を示している。すなわち、従来のＲ、Ｇ、Ｂストライプ配列のカラーフィルタ１１０を用いた場合である。図６（ｂ）はＢＭ１２１を除いた単位画素１１７中に占める着色領域１１８の割合が９５％であり、高透過領域１１９の割合が５％であるカラーフィルタ１１０を配置した場合であり、図６（ｃ）はＢＭ１２１を除いた単位画素１１７中に占める着色領域１１８の割合が９０％であり、高透過領域１１９の割合が１０％であるカラーフィルタ１１０を配置した場合を示している。図６（ｄ）は、ＢＭ１２１を除いた単位画素１１７中に占める着色領域１１８の割合８５％であり、高透過領域１１９の割合が１５％であるカラーフィルタ１１０を配置した場合である。
【００４６】
図６に示すように、それぞれの単位画素１１７中に占める高透過領域１１９の割合を高くすることによって、Ｒ、Ｇ、Ｂ各色の透過率Ｔを向上させることができ、より高い輝度で表示をすることができた。また、ｘ−ｙ色度については、それぞれの単位画素１１７中に占める高透過領域１１９の割合を変化させてもわずかにずれる程度であり、表示品質の低下を防止できた。
【００４７】
しかしながら、それぞれの単位画素１１７中に占める高透過領域１１９の割合を高くするにつれて、Ｇａｍｕｔは小さくなり、色再現範囲が狭くなってしまうため、両者のバランスを考えて高透過領域１１９の割合を決定することができる。
【００４８】
なお、上述の説明では、ＳＴＮ型のパッシブマトリクス方式の液晶パネルを用いた例について説明したが、これに限定されない。ＴＮ型のアクティブマトリクス方式など他の方式の液晶パネルについても適用可能である。本実施の形態においては、液晶表示装置を例として説明したが、これに限定されず、有機ＥＬ（Electro Luminescence）ディスプレイなど他の表示装置にも適用できる。また、カラー表示用スイッチ１１４及び輝度調整用スイッチ１１５は、液晶パネル１０１を構成する第１の基板１０３又は第２の基板１０４上に設けてもよい。
【図面の簡単な説明】
【００４９】
【図１】実施の形態に係る液晶表示装置の構成を示す概略模式図である。
【図２】図１のＡ−Ａ断面図である。
【図３】実施の形態に係るカラーフィルタの１画素の構成を示す図である。
【図４】実施の形態に係るカラーフィルタの１画素の他の構成を示す図である。
【図５】本発明にかかるカラーフィルタの他の構成を示す図である。
【図６】白色表示時の輝度、色度及びＧａｍｕｔの評価結果を示す図である。
【符号の説明】
【００５０】
１００  液晶表示装置
１０１  液晶パネル
１０２  駆動回路
１０３  第１の基板
１０４  第２の基板
１０５  シール材
１０６  液晶
１０７  カラー表示用走査線
１０８  輝度調整用走査線
１０９  信号線
１１０  カラーフィルタ
１１１  配向膜
１１２  スペーサ
１１３  コモン駆動回路
１１４  カラー表示用スイッチ
１１５  輝度調整用スイッチ
１１６  モード切り替え回路
１１７  単位画素
１１８  着色領域
１１９  高透過領域
１２０  画素
１２１  ＢＭ
１２２  オーバーコート層
１２３  偏光板
【図１】
2006267826.tif 000003
【図２】
2006267826.tif 000004
【図３】
2006267826.tif 000005
【図４】
2006267826.tif 000006
【図５】
2006267826.tif 000007
【図６】
2006267826.tif 000008